(57)【要約】【課題】優先移動局からの発信或いは着信等に係るＣＳＦＢ手順において、パケットベアラを優先的に確保する。【解決手段】本発明に係る移動通信方法は、Ｉｄｌｅ状態の移動局ＵＥが、無線基地局ｅＮｏｄｅＢを介して移動管理用ノードＭＭＥに対して「Ｅｘｔｅｎｄｅｄ  Ｓｅｒｖｉｃｅ  Ｒｅｑｕｅｓｔ」を送信する工程と、移動管理用ノードＭＭＥが、無線基地局ｅＮｏｄｅＢに対して優先呼情報を含む「Ｉｎｉｔｉａｌ  ＵＥ  Ｃｏｎｔｅｘｔ  Ｓｅｔｕｐ  Ｒｅｑｕｅｓｔ」を送信する工程と、無線基地局ｅＮｏｄｅＢが、受信した「Ｉｎｉｔｉａｌ  ＵＥ  Ｃｏｎｔｅｘｔ  Ｓｅｔｕｐ  Ｒｅｑｕｅｓｔ」に含まれる優先呼情報に基づいて、移動局ＵＥ用のＥ-ＲＡＢに対して優先的にリソースを割り当てる工程とを有する。【選択図】図２
2011166749.tif 000002
【特許請求の範囲】
【請求項１】
Ｉｄｌｅ状態の移動局が、回線交換通信に対応していない第１通信方式の無線アクセスネットワーク装置を介して、移動管理用ノードに対して、回線交換通信の開始要求信号を送信する工程と、
前記移動管理用ノードが、前記第１通信方式の無線アクセスネットワーク装置に対して、前記移動局と該第１通信方式の無線アクセスネットワーク装置との間で前記第１通信方式の無線ベアラを設定するように要求し、優先呼情報を含む無線ベアラ設定要求信号を送信する工程と、
前記第１通信方式の無線アクセスネットワーク装置が、受信した前記無線ベアラ設定要求信号に含まれる前記優先呼情報に基づいて、前記第１通信方式の無線ベアラに対して優先的にリソースを割り当てる工程とを有することを特徴とする移動通信方法。
【請求項２】
前記第１通信方式の無線ベアラが設定された後、該第１通信方式の無線アクセスネットワーク装置が、前記移動管理用ノードを介して、回線交換通信に対応する第２通信方式のパケット交換機に対して、前記優先呼情報を含む切替要求信号を送信する工程と、
前記第２通信方式のパケット交換機が、該第２通信方式の無線アクセスネットワーク装置に対して、前記優先呼情報を含む切替要求信号を送信する工程と、
前記第２通信方式の無線アクセスネットワーク装置が、受信した前記切替要求信号に含まれる前記優先呼情報に基づいて、前記移動局と該第２通信方式の無線アクセスネットワーク装置との間における該第２通信方式の無線ベアラに対して優先的にリソースを割り当てる工程とを有することを特徴とする請求項１に記載の移動通信方法。
【請求項３】
前記第２通信方式の無線ベアラに対してリソースが割り当てられた後、該第２通信方式の無線アクセスネットワーク装置が、該第２通信方式のパケット交換機に対して、前記優先呼情報を含む切替要求応答信号を送信する工程と、
前記第２通信方式のパケット交換機が、前記移動管理用ノードを介して、前記第１通信方式の無線アクセスネットワーク装置に対して、前記優先呼情報を含む切替要求信号を送信する工程と、
前記第１通信方式の無線アクセスネットワーク装置が、前記移動局に対して、前記優先呼情報を含む切替要求信号を送信する工程と、
前記移動局が、前記第２通信方式においてアクセス規制が行われている場合であっても、受信した前記切替要求信号に前記優先呼情報が含まれている場合には、前記第２通信方式の無線アクセスネットワーク装置に対して、前記切替要求信号に対する応答信号を送信する工程とを有することを特徴とする請求項２に記載の移動通信方法。
【請求項４】
前記第２通信方式の無線ベアラに対してリソースが割り当てられた後、該第２通信方式の無線アクセスネットワーク装置が、該第２通信方式のパケット交換機に対して、前記優先呼情報を含む切替要求応答信号を送信する工程と、
前記第２通信方式のパケット交換機が、前記移動管理用ノードを介して、前記第１通信方式の無線アクセスネットワーク装置に対して、前記優先呼情報を含む切替要求信号を送信する工程と、
前記第１通信方式の無線アクセスネットワーク装置が、前記移動局に対して、前記優先呼情報を含む切替要求信号を送信する工程と、
前記移動局が、前記第２通信方式の無線アクセスネットワーク装置に対して、前記優先呼情報を含む前記切替要求信号に対する応答信号を送信する工程と、
前記第２通信方式の無線アクセスネットワーク装置が、受信した前記応答信号に含まれる前記優先呼情報に基づいて、該応答信号を優先的に受け付ける工程とを有することを特徴とする請求項２に記載の移動通信方法。
【請求項５】
回線交換通信に対応していない第１通信方式の無線アクセスネットワーク装置との間で該第１通信方式の無線ベアラが設定されている移動局が、該第１通信方式の無線アクセスネットワーク装置を介して、移動管理用ノードに対して、回線交換通信の開始要求信号を送信する工程と、
前記移動管理用ノードが、前記第１通信方式の無線アクセスネットワーク装置に対して、優先呼情報を含む設定変更要求信号を送信する工程と、
前記第１通信方式の無線アクセスネットワーク装置が、受信した前記設定変更要求信号に応じて、回線交換通信に対応する第２通信方式において使用可能なリソースが存在するか否かについて判定する工程と、
前記第２通信方式において使用可能なリソースが存在しないと判定された場合であっても、前記設定変更要求信号に前記優先呼情報が含まれている場合には、前記第１通信方式の無線ベアラの解放手順を行う工程とを有することを特徴とする移動通信方法。
【請求項６】
回線交換通信に対応していない第１通信方式の無線アクセスネットワーク装置であって、
Ｉｄｌｅ状態の移動局から受信した回線交換通信の開始要求信号を、移動管理用ノードに対して送信するように構成されており、
前記移動管理用ノードから、前記移動局と該第１通信方式の無線アクセスネットワーク装置との間で前記第１通信方式の無線ベアラを設定するように要求し、優先呼情報を含む無線ベアラ設定要求信号を受信するように構成されており、
受信した前記無線ベアラ設定要求信号に含まれる前記優先呼情報に基づいて、前記第１通信方式の無線ベアラに対して優先的にリソースを割り当てるように構成されていることを特徴とする無線アクセスネットワーク装置。
【請求項７】
回線交換通信に対応していない第１通信方式の無線アクセスネットワーク装置であって、
前記第１通信方式の無線アクセスネットワーク装置との間で該第１通信方式の無線ベアラが設定されている移動局から受信した回線交換通信の開始要求信号を、移動管理用ノードに対して送信するように構成されており、
前記移動管理用ノードから受信した設定変更要求信号に応じて、回線交換通信に対応する第２通信方式において使用可能なリソースが存在するか否かについて判定するように構成されており、
前記第２通信方式において使用可能なリソースが存在しないと判定された場合であっても、前記設定変更要求信号に優先呼情報が含まれている場合には、前記第１通信方式の無線ベアラの解放手順を行うように構成されていることを特徴とする無線アクセスネットワーク装置。
【請求項８】
回線交換通信に対応している第２通信方式の無線アクセスネットワーク装置であって、
移動局と回線交換通信に対応していない第１通信方式の無線アクセスネットワーク装置との間の該第１通信方式の無線ベアラが設定された後、該第１通信方式の無線アクセスネットワーク装置から、前記移動管理用ノード及び前記第２通信方式のパケット交換機を介して、優先呼情報を含む切替要求信号を受信するように構成されており、
受信した前記切替要求信号に含まれる前記優先呼情報に基づいて、前記移動局と該第２通信方式の無線アクセスネットワーク装置との間における該第２通信方式の無線ベアラに対して優先的にリソースを割り当てるように構成されていることを特徴とする無線アクセスネットワーク装置。
【請求項９】
回線交換通信に対応していない第１通信方式の無線アクセスネットワーク装置を介して、移動管理用ノードに対して、回線交換通信の開始要求信号を送信するように構成されており、
回線交換通信に対応している第２通信方式においてアクセス規制が行われている場合であっても、第１通信方式の無線アクセスネットワーク装置から受信した切替要求信号に優先呼情報が含まれている場合には、該第２通信方式の無線アクセスネットワーク装置に対して、前記切替要求信号に対する応答信号を送信するように構成されていることを特徴とする移動局。
【発明の詳細な説明】
【技術分野】
【０００１】
本発明は、移動通信方法、無線アクセスネットワーク装置及び移動局に関する。
【背景技術】
【０００２】
ＬＴＥ（Ｌｏｎｇ  Ｔｅｒｍ  Ｅｖｏｌｕｔｉｏｎ）方式の移動通信システムでは、回線交換通信に対応していないＥ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）においてＩｄｌｅ状態である移動局ＵＥが、回線交換通信を行うための「ＣＳ  Ｆａｌｌｂａｃｋ（ＣＳＦＢ）手順」が規定されている。
【先行技術文献】
【非特許文献】
【０００３】
【非特許文献１】３ＧＰＰ  ＴＳ２３.２７２  Ｖ９.２.０
【発明の概要】
【発明が解決しようとする課題】
【０００４】
上述のＣＳＦＢ手順では、Ｅ-ＵＴＲＡＮ上の無線ベアラである「Ｅ-ＲＡＢ（Ｅｖｏｌｖｅｄ  Ｒａｄｉｏ  Ａｃｃｅｓｓ  Ｂｅａｒｅｒ）」を設定した後、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）やＧＥＲＡＮ（ＧＳＭ  ＥＤＧＥ  Ｒａｄｉｏ  Ａｃｃｅｓｓ  Ｎｅｔｗｏｒｋ）上の無線ベアラである「ＲＡＢ（Ｒａｄｉｏ  Ａｃｃｅｓｓ  Ｂｅａｒｅｒ）」を設定する必要がある。
【０００５】
しかしながら、上述のＣＳＦＢ手順では、パケットベアラとしてのＥ-ＲＡＢの設定処理やＲＡＢの設定処理において、優先的にリソースを割り当てることができないという問題点があった。
【０００６】
同様に、上述のＣＳＦＢ手順では、優先移動局ＵＥからの回線交換通信の開始要求信号に係るＲＲＣ（Ｒａｄｉｏ  Ｒｅｓｏｕｒｃｅ  Ｃｏｎｔｒｏｌ）コネクションを優先的に設定することができないという問題点があった。
【０００７】
かかる問題点について、図１２乃至図１４を参照して、具体的に説明する。
【０００８】
第１に、図１２に、上述の移動通信システムにおいて、優先移動局ＵＥの発信処理に伴うＣＳＦＢ手順の一部動作について示す。
【０００９】
かかるＣＳＦＢ手順では、図１２のＡに示すように、Ｅ-ＲＡＢの設定処理において、Ｅ-ＲＡＢの設定に必要なリソースが不足している場合、優先移動局ＵＥ用のパケットベアラとしてのＥ-ＲＡＢを設定することができないという問題点があった。
【００１０】
また、かかるＣＳＦＢ手順では、図１２のＢに示すように、ＲＡＢの設定処理において、ＲＡＢの設定に必要なリソースが不足している場合、優先移動局ＵＥに係るパケットアラとしてのＲＡＢを設定することができないという問題点があった。
【００１１】
さらに、かかるＣＳＦＢ手順では、図１２のＣに示すように、無線回線制御局ＲＮＣ（Ｒａｄｉｏ  Ｎｅｔｗｏｒｋ  Ｃｏｎｔｒｏｌｌｅｒ）において、ＵＴＲＡＮ側のＲＲＣ機能が輻輳している場合、優先移動局ＵＥからのハンドオーバ制御信号の送信に係るＲＲＣコネクションを設定することができないという問題点があった。
【００１２】
第２に、図１３に、上述の移動通信システムにおいて、Ｉｄｌｅ状態の優先移動局ＵＥに対する着信処理に伴うＣＳＦＢ手順の一部動作について示す。
【００１３】
かかるＣＳＦＢ手順では、図１３のＡに示すように、無線基地局ｅＮｏｄｅＢにおいて、Ｅ-ＵＴＲＡＮ側のＲＲＣ機能が輻輳している場合、優先移動局ＵＥからのハンドオーバ制御信号の送信に係るＲＲＣコネクションを設定することができないという問題点があった。
【００１４】
また、かかるＣＳＦＢ手順では、図１３のＢに示すように、Ｅ-ＲＡＢの設定処理において、Ｅ-ＲＡＢの設定に必要なリソースが不足している場合、優先移動局ＵＥ用のパケットベアラとしてのＥ-ＲＡＢを設定することができないという問題点があった。
【００１５】
また、かかるＣＳＦＢ手順では、図１３のＣに示すように、ＲＡＢの設定処理において、ＲＡＢの設定に必要なリソースが不足している場合、優先移動局ＵＥ用のパケットベアラとしてのＲＡＢを設定することができないという問題点があった。
【００１６】
さらに、かかるＣＳＦＢ手順では、図１３のＤに示すように、無線回線制御局ＲＮＣにおいて、ＵＴＲＡＮ側のＲＲＣ機能が輻輳している場合、優先移動局ＵＥからのハンドオーバ制御信号の送信に係るＲＲＣコネクションを設定することができないという問題点があった。
【００１７】
第３に、図１４に、上述の移動通信システムにおいて、Ａｃｔｉｖｅ状態の優先移動局ＵＥに対する着信処理に伴うＣＳＦＢ手順の一部動作について示す。かかるＣＳＦＢ手順では、優先移動局ＵＥ用のＥ-ＲＡＢは、既に設定されている。
【００１８】
かかるＣＳＦＢ手順では、図１４のＡに示すように、無線基地局ｅＮｏｄｅＢが、「ＣＳＦＢ  Ｉｎｄｉｃａｔｏｒ」を含む「Ｃｏｎｔｅｘｔ  Ｍｏｄｉｆｉｃａｔｉｏｎ  Ｒｅｑｕｅｓｔ」を受信した場合に、ＵＴＲＡＮにおけるＲＡＢの設定に必要なリソースが不足していることを検知した場合、以降のパケット通信についてのハンドオーバに係る制御を優先的に処理することができないという問題点があった。
【００１９】
そこで、本発明は、上述の課題に鑑みてなされたものであり、優先移動局からの発信或いは着信といった優先すべき通信に係るＣＳＦＢ手順において、パケットベアラとしてのＥ-ＲＡＢ及びＲＡＢの優先的確保、並びに、かかるＣＳＦＢ手順に係るＲＲＣ信号についての優先制御を可能とする移動通信方法、無線アクセスネットワーク装置及び移動局を提供することを目的とする。
【課題を解決するための手段】
【００２０】
本発明の第１の特徴は、移動通信方法であって、Ｉｄｌｅ状態の移動局が、回線交換通信に対応していない第１通信方式の無線アクセスネットワーク装置を介して、移動管理用ノードに対して、回線交換通信の開始要求信号を送信する工程と、前記移動管理用ノードが、前記第１通信方式の無線アクセスネットワーク装置に対して、前記移動局と該第１通信方式の無線アクセスネットワーク装置との間で前記第１通信方式の無線ベアラを設定するように要求し、優先呼情報を含む無線ベアラ設定要求信号を送信する工程と、前記第１通信方式の無線アクセスネットワーク装置が、受信した前記無線ベアラ設定要求信号に含まれる前記優先呼情報に基づいて、前記第１通信方式の無線ベアラに対して優先的にリソースを割り当てる工程とを有することを要旨とする。
【００２１】
本発明の第２の特徴は、回線交換通信に対応していない第１通信方式の無線アクセスネットワーク装置との間で該第１通信方式の無線ベアラが設定されている移動局が、該第１通信方式の無線アクセスネットワーク装置を介して、移動管理用ノードに対して、回線交換通信の開始要求信号を送信する工程と、前記移動管理用ノードが、前記第１通信方式の無線アクセスネットワーク装置に対して、優先呼情報を含む設定変更要求信号を送信する工程と、前記第１通信方式の無線アクセスネットワーク装置が、受信した前記設定変更要求信号に応じて、回線交換通信に対応する第２通信方式において使用可能なリソースが存在するか否かについて判定する工程と、前記第２通信方式において使用可能なリソースが存在しないと判定された場合であっても、前記設定変更要求信号に前記優先呼情報が含まれている場合には、前記第１通信方式の無線ベアラの解放手順を行う工程とを有することを要旨とする。
【００２２】
本発明の第３の特徴は、回線交換通信に対応していない第１通信方式の無線アクセスネットワーク装置であって、Ｉｄｌｅ状態の移動局から受信した回線交換通信の開始要求信号を、移動管理用ノードに対して送信するように構成されており、前記移動管理用ノードから、前記移動局と該第１通信方式の無線アクセスネットワーク装置との間で前記第１通信方式の無線ベアラを設定するように要求し、優先呼情報を含む無線ベアラ設定要求信号を受信するように構成されており、受信した前記無線ベアラ設定要求信号に含まれる前記優先呼情報に基づいて、前記第１通信方式の無線ベアラに対して優先的にリソースを割り当てるように構成されていることを要旨とする。
【００２３】
本発明の第４の特徴は、回線交換通信に対応していない第１通信方式の無線アクセスネットワーク装置であって、前記第１通信方式の無線アクセスネットワーク装置との間で該第１通信方式の無線ベアラが設定されている移動局から受信した回線交換通信の開始要求信号を、移動管理用ノードに対して送信するように構成されており、前記移動管理用ノードから受信した設定変更要求信号に応じて、回線交換通信に対応する第２通信方式において使用可能なリソースが存在するか否かについて判定するように構成されており、前記第２通信方式において使用可能なリソースが存在しないと判定された場合であっても、前記設定変更要求信号に優先呼情報が含まれている場合には、前記第１通信方式の無線ベアラの解放手順を行うように構成されていることを要旨とする。
【００２４】
本発明の第５の特徴は、回線交換通信に対応している第２通信方式の無線アクセスネットワーク装置であって、移動局と回線交換通信に対応していない第１通信方式の無線アクセスネットワーク装置との間の該第１通信方式の無線ベアラが設定された後、該第１通信方式の無線アクセスネットワーク装置から、前記移動管理用ノード及び前記第２通信方式のパケット交換機を介して、優先呼情報を含む切替要求信号を受信するように構成されており、受信した前記切替要求信号に含まれる前記優先呼情報に基づいて、前記移動局と該第２通信方式の無線アクセスネットワーク装置との間における該第２通信方式の無線ベアラに対して優先的にリソースを割り当てるように構成されていることを要旨とする。
【００２５】
本発明の第６の特徴は、移動局であって、回線交換通信に対応していない第１通信方式の無線アクセスネットワーク装置を介して、移動管理用ノードに対して、回線交換通信の開始要求信号を送信するように構成されており、回線交換通信に対応している第２通信方式においてアクセス規制が行われている場合であっても、第１通信方式の無線アクセスネットワーク装置から受信した切替要求信号に優先呼情報が含まれている場合には、該第２通信方式の無線アクセスネットワーク装置に対して、前記切替要求信号に対する応答信号を送信するように構成されていることを要旨とする。
【発明の効果】
【００２６】
以上説明したように、本発明によれば、優先移動局からの発信或いは着信といった優先すべき通信に係るＣＳＦＢ手順において、パケットベアラとしてのＥ-ＲＡＢ及びＲＡＢの優先的確保、並びに、かかるＣＳＦＢ手順に係るＲＲＣ信号についての優先制御を可能とする移動通信方法、無線アクセスネットワーク装置及び移動局を提供することができる。
【図面の簡単な説明】
【００２７】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システム内の無線基地局ｅＮｏｄｅＢの動作を示すフローチャートである。
【図４】本発明の第１の実施形態に係る無線基地局ｅＮｏｄｅＢの動作を示すフローチャートである。
【図５】本発明の第１の実施形態に係る無線回線制御局ＲＮＣの動作を示すフローチャートである。
【図６】本発明の第１の実施形態に係る無線回線制御局ＲＮＣの動作を示すフローチャートである。
【図７】本発明の第１の実施形態に係る移動局ＵＥの動作を示すフローチャートである。
【図８】本発明の第１の実施形態に係る移動通信システムの動作を示すシーケンス図である。
【図９】本発明の第１の実施形態に係る移動通信システムの動作を示すシーケンス図である。
【図１０】本発明の第１の実施形態に係る無線基地局ｅＮｏｄｅＢの動作を示すフローチャートである。
【図１１】本発明の第１の実施形態に係る無線基地局ｅＮｏｄｅＢの動作を示すフローチャートである。
【図１２】従来の移動通信システムの問題点を説明するための図である。
【図１３】従来の移動通信システムの問題点を説明するための図である。
【図１４】従来の移動通信システムの問題点を説明するための図である。
【発明を実施するための形態】
【００２８】
（本発明の第１の実施形態に係る移動通信システム）
図１乃至図１１を参照して、本発明の第１の実施形態に係る移動通信システムについて説明する。本実施形態に係る移動通信システムは、Ｅ-ＵＴＲＡＮ及びＵＴＲＡＮの双方を具備している。
【００２９】
具体的には、図１に示すように、本実施形態に係る移動通信システムは、ゲートウェイ装置Ｐ-ＧＷ（ＰＤＮ  Ｇａｔｅｗａｙ）と、サービングゲートウェイ装置Ｓ-ＧＷ（Ｓｅｒｖｉｎｇ  Ｇａｔｅｗａｙ）と、移動管理用ノードＭＭＥ（Ｍｏｂｉｌｉｔｙ  Ｍａｎａｇｅｍｅｎｔ  Ｅｎｔｉｔｙ）と、無線基地局ｅＮｏｄｅＢと、回線交換機ＭＳＣ（Ｍｏｂｉｌｅ-ｓｅｒｖｉｃｅ  Ｓｗｉｔｃｈｉｎｇ  Ｃｅｎｔｅｒ）と、パケット交換機ＳＧＳＮ（Ｓｅｒｖｉｎｇ  ＧＰＲＳ  Ｓｕｐｐｏｒｔ  Ｎｏｄｅ）と、無線回線制御局ＲＮＣと、無線基地局ＮｏｄｅＢ（不図示）とを具備する。
【００３０】
第１に、図２を参照して、本実施形態に係る移動通信システムにおいて、優先移動局ＵＥの発信処理に伴うＣＳＦＢ手順の一部動作について説明する。
【００３１】
図２に示すように、Ｅ-ＵＴＲＡＮにおいてＩｄｌｅ状態である優先移動局ＵＥは、ステップＳ１００１において、回線交換通信を開始するための発信操作が行われたことを検出すると、ステップＳ１００２において、無線基地局ｅＮｏｄｅＢに対して、「ＣＳＦＢ  Ｉｎｄｉｃａｔｏｒ」を含む「Ｅｘｔｅｎｄｅｄ  Ｓｅｒｖｉｃｅ  Ｒｅｑｕｅｓｔ」を送信する。
【００３２】
ステップ１００３において、無線基地局ｅＮｏｄｅＢは、移動管理用ノードＭＭＥに対して、「ＣＳＦＢ  Ｉｎｄｉｃａｔｏｒ」を含む「Ｅｘｔｅｎｄｅｄ  Ｓｅｒｖｉｃｅ  Ｒｅｑｕｅｓｔ」を送信する。
【００３３】
ステップＳ１００４において、移動管理用ノードＭＭＥは、ステップＳ１００３において受信した信号に含まれる「接続理由情報（例えば、事由＝優先接続）」や「接続種別情報（例えば、緊急呼発信）」や、「移動管理用ノードＭＭＥが保持する加入者プロファイル情報（例えば、優先ユーザ）」等を参照して、ＣＳＦＢ手順を優先すべきであると判断すると、無線基地局ｅＮｏｄｅＢに対して、「ＣＳＦＢ  Ｉｎｄｉｃａｔｏｒ」及び優先呼情報を含む「Ｉｎｉｔｉａｌ  ＵＥ  Ｃｏｎｔｅｘｔ  Ｓｅｔｕｐ  Ｒｅｑｕｅｓｔ」を送信する。
【００３４】
ステップＳ１００５において、無線基地局ｅＮｏｄｅＢは、受信した「Ｉｎｉｔｉａｌ  ＵＥ  Ｃｏｎｔｅｘｔ  Ｓｅｔｕｐ  Ｒｅｑｕｅｓｔ」に対する優先制御処理を実施する。
【００３５】
ここで、図３及び図４を参照して、かかる「Ｉｎｉｔｉａｌ  ＵＥ  Ｃｏｎｔｅｘｔ  Ｓｅｔｕｐ  Ｒｅｑｕｅｓｔ」に対する優先制御処理について説明する。
【００３６】
第１に、図３を参照して、「Ｉｎｉｔｉａｌ  ＵＥ  Ｃｏｎｔｅｘｔ  Ｓｅｔｕｐ  Ｒｅｑｕｅｓｔ」に対する優先制御処理の第１例について説明する。
【００３７】
図３に示すように、無線基地局ｅＮｏｄｅＢは、ステップＳ１０１において、「Ｉｎｉｔｉａｌ  ＵＥ  Ｃｏｎｔｅｘｔ  Ｓｅｔｕｐ  Ｒｅｑｕｅｓｔ」を受信すると、ステップＳ１０２において、Ｅ-ＲＡＢを設定するために必要なリソースが存在するか否かについて判定する。
【００３８】
かかるリソースが存在すると判定された場合、ステップＳ１０３において、無線基地局ｅＮｏｄｅＢは、Ｅ-ＲＡＢに対する通常のリソース割り当て処理を行う。
【００３９】
一方、かかるリソースが存在しないと判定された場合、ステップＳ１０４において、無線基地局ｅＮｏｄｅＢは、「Ｉｎｉｔｉａｌ  ＵＥ  Ｃｏｎｔｅｘｔ  Ｓｅｔｕｐ  Ｒｅｑｕｅｓｔ」に優先呼情報が含まれているか否かについて判定する。
【００４０】
優先呼情報が含まれていないと判定された場合、ステップＳ１０４において、無線基地局ｅＮｏｄｅＢは、移動管理用ノードＭＭＥに対して、かかるリソースの割り当てができないことを示す「Ｎｅｇａｔｉｖｅ  Ｒｅｓｐｏｎｓｅ」を送信する。
【００４１】
一方、優先呼情報が含まれていると判定された場合、ステップＳ１０６において、無線基地局ｅＮｏｄｅＢは、移動先ＲＡＴ（Ｒａｄｉｏ  Ａｃｃｅｓｓ  Ｔｅｃｈｎｏｌｏｇｙ）、すなわち、ＵＴＲＡＮにおいて、ＲＡＢを設定するために必要なリソースが存在するか否かについて判定する。
【００４２】
かかるリソースが存在すると判定された場合、ステップＳ１０７において、無線基地局ｅＮｏｄｅＢは、優先移動局ＵＥ用のＥ-ＲＡＢに対して優先的にリソースを確保しておき、Ｅ-ＲＡＢを設定するために必要なリソースができた場合に、かかる優先移動局ＵＥ用のＥ-ＲＡＢに対して当該リソースを割り当てる。
【００４３】
一方、かかるリソースが存在しないと判定された場合、ステップＳ１０８において、無線基地局ｅＮｏｄｅＢは、かかるＣＳＦＢ手順（ＰＳ  ＨＯ手順）を中断し、「Ｒｅｌｅａｓｅ  ｗｉｔｈ  Ｒｅｄｉｒｅｃｔｉｏｎ手順」に移行する。
【００４４】
例えば、かかる「Ｒｅｌｅａｓｅ  ｗｉｔｈ  Ｒｅｄｉｒｅｃｔｉｏｎ手順」では、無線基地局ｅＮｏｄｅＢは、移動管理用ノードＭＭＥに対して、「Ｒｅｌｅａｓｅ  ｗｉｔｈ  Ｒｅｄｉｒｅｃｔｉｏｎ手順」に移行することを示すエラー情報を含む「Ｉｎｉｔｉａｌ  ＵＥ  Ｃｏｎｔｅｘｔ  Ｓｅｔｕｐ  Ｒｅｓｐｏｎｓｅ」を送信してもよい。
【００４５】
ここで、ステップＳ１０６の処理を省略し、ステップＳ１０４において、優先呼情報が含まれていると判定された場合、ステップＳ１０７において、無線基地局ｅＮｏｄｅＢは、優先移動局ＵＥ用のＥ-ＲＡＢに対して優先的にリソースを確保しておき、Ｅ-ＲＡＢを設定するために必要なリソースができた場合に、かかる優先移動局ＵＥ用のＥ-ＲＡＢに対して当該リソースを割り当ててもよい。
【００４６】
第２に、図４を参照して、「Ｉｎｉｔｉａｌ  ＵＥ  Ｃｏｎｔｅｘｔ  Ｓｅｔｕｐ  Ｒｅｑｕｅｓｔ」に対する優先制御処理の第２例について説明する。
【００４７】
図４に示すように、無線基地局ｅＮｏｄｅＢは、ステップＳ２０１において、「Ｉｎｉｔｉａｌ  ＵＥ  Ｃｏｎｔｅｘｔ  Ｓｅｔｕｐ  Ｒｅｑｕｅｓｔ」を受信すると、ステップＳ２０２において、「Ｉｎｉｔｉａｌ  ＵＥＣｏｎｔｅｘｔ  Ｓｅｔｕｐ  Ｒｅｑｕｅｓｔ」に優先呼情報が含まれているか否かについて判定する。
【００４８】
優先呼情報が含まれていないと判定された場合、ステップＳ２０３において、無線基地局ｅＮｏｄｅＢは、Ｅ-ＲＡＢに対する通常のリソースの割り当て処理を行う。
【００４９】
ここで、無線基地局ｅＮｏｄｅＢは、Ｅ-ＲＡＢに対してリソースを割り当てることができない場合には、移動管理用ノードＭＭＥに対して、その旨を示す「Ｎｅｇａｔｉｖｅ  Ｒｅｓｐｏｎｓｅ」を送信する。
【００５０】
一方、優先呼情報が含まれていると判定された場合、ステップＳ２０４において、無線基地局ｅＮｏｄｅＢは、移動先ＲＡＴ、すなわち、ＵＴＲＡＮにおいて、ＲＡＢを設定するために必要なリソースが存在するか否かについて判定する。
【００５１】
かかるリソースが存在すると判定された場合、ステップＳ２０５において、無線基地局ｅＮｏｄｅＢは、優先移動局ＵＥ用のＥ-ＲＡＢに対して優先的にリソースを割り当てる。
【００５２】
ここで、Ｅ-ＵＴＲＡＮにおいて、Ｅ-ＲＡＢを設定するために必要なリソースが存在しない場合、無線基地局ｅＮｏｄｅＢは、非優先移動局ＵＥ用のリソースを解放して、優先移動局ＵＥ用のＥ-ＲＡＢに対して優先的にリソースを割り当てる。
【００５３】
一方、かかるリソースが存在しないと判定された場合、ステップＳ２０６において、無線基地局ｅＮｏｄｅＢは、かかるＣＳＦＢ手順（ＰＳ  ＨＯ手順）を中断し、「Ｒｅｌｅａｓｅ  ｗｉｔｈ  Ｒｅｄｉｒｅｃｔｉｏｎ手順」に移行する。
【００５４】
例えば、かかる「Ｒｅｌｅａｓｅ  ｗｉｔｈ  Ｒｅｄｉｒｅｃｔｉｏｎ手順」では、無線基地局ｅＮｏｄｅＢは、移動管理用ノードＭＭＥに対して、「Ｒｅｌｅａｓｅ  ｗｉｔｈ  Ｒｅｄｉｒｅｃｔｉｏｎ手順」に移行することを示すエラー情報を含む「Ｉｎｉｔｉａｌ  ＵＥ  Ｃｏｎｔｅｘｔ  Ｓｅｔｕｐ  Ｒｅｓｐｏｎｓｅ」を送信してもよい。
【００５５】
ここで、ステップＳ２０４の処理を、図４のＡの時点で行い、ステップＳ２０４において、上述のリソースが存在すると判定された場合、ステップＳ２０３において、無線基地局ｅＮｏｄｅＢは、Ｅ-ＲＡＢに対する通常のリソースの割り当て処理を行い、上述のリソースが存在しないと判定された場合、ステップＳ２０６において、無線基地局ｅＮｏｄｅＢは、かかるＣＳＦＢ手順（ＰＳ  ＨＯ手順）を中断し、「Ｒｅｌｅａｓｅ  ｗｉｔｈ  Ｒｅｄｉｒｅｃｔｉｏｎ手順」に移行してもよい。
【００５６】
かかる場合、ステップＳ２０２において、優先呼情報が含まれていると判定された場合、ステップＳ２０５において、無線基地局ｅＮｏｄｅＢは、優先移動局ＵＥ用のＥ-ＲＡ
Ｂに対して優先的にリソースを割り当ててもよい。
【００５７】
ここで、Ｅ-ＵＴＲＡＮにおいて、Ｅ-ＲＡＢを設定するために必要なリソースが存在しない場合、無線基地局ｅＮｏｄｅＢは、非優先移動局ＵＥ用のリソースを解放して、優先移動局ＵＥ用のＥ-ＲＡＢに対して優先的にリソースを割り当ててもよい。
【００５８】
図２に戻り、ステップＳ１００６において、無線基地局ｅＮｏｄｅＢと優先移動局ＵＥとの間にＥ-ＲＡＢが設定されると、ステップＳ１００７において、無線基地局ｅＮｏｄｅＢは、移動管理用ノードＭＭＥに対して、「Ｉｎｉｔｉａｌ  ＵＥ  Ｃｏｎｔｅｘｔ  Ｓｅｔｕｐ  Ｒｅｓｐｏｎｓｅ」を送信する。
【００５９】
ステップＳ１００８において、移動管理用ノードＭＭＥは、サービングゲートウェイ装置Ｓ-ＧＷに対して、「ＧＴＰｖ２  Ｍｏｄｉｆｙ  Ｂｅａｒｅｒ  Ｒｅｑｕｅｓｔ」を送信し、ステップＳ１００９において、サービングゲートウェイ装置Ｓ-ＧＷは、移動管理用ノードＭＭＥに対して、「ＧＴＰｖ２  Ｍｏｄｉｆｙ  Ｂｅａｒｅｒ  Ｒｅｓｐｏｎｓｅ」を送信する。
【００６０】
ステップＳ１０１０において、無線基地局ｅＮｏｄｅＢは、移動管理用ノードＭＭＥに
対して、「Ｃａｕｓｅ」や「Ｔａｒｇｅｔ  ＲＮＣ  Ｉｎｄｅｎｔｉｆｉｅｒ」や「Ｓｏｕｒｃｅ  ｅＮｏｄｅＢ  Ｉｄｅｎｔｉｆｉｅｒ」や「Ｓｏｕｒｃｅ  ｔｏ  Ｔａｒｇｅｔ  Ｔｒａｎｓｐａｒｅｎｔ  Ｃｏｎｔａｉｎｅｒ」等を含む「Ｈａｎｄｏｖｅｒ  Ｒｅｑｕｉｒｅｄ」を送信する。
【００６１】
ここで、「Ｓｏｕｒｃｅ  ｔｏ  Ｔａｒｇｅｔ  Ｔｒａｎｓｐａｒｅｎｔ  Ｃｏｎｔａｉｎｅｒ」には、上述の優先呼情報が含まれているものとする。
【００６２】
ステップＳ１０１１において、移動管理用ノードＭＭＥは、パケット交換機ＳＧＳＮに対して、「Ｓｏｕｒｃｅ  ｔｏ  Ｔａｒｇｅｔ  Ｔｒａｎｓｐａｒｅｎｔ  Ｃｏｎｔａｉｎｅｒ」を含む「Ｆｏｒｗａｒｄ  Ｒｅｌｏｃａｔｉｏｎ  Ｒｅｑｕｅｓｔ」を送信する。
【００６３】
ここで、移動管理用ノードＭＭＥは、受信した「Ｈａｎｄｏｖｅｒ  Ｒｅｑｕｉｒｅｄ」内の「Ｓｏｕｒｃｅ  ｔｏ  Ｔａｒｇｅｔ  Ｔｒａｎｓｐａｒｅｎｔ  Ｃｏｎｔａｉｎｅｒ」をそのまま含む「Ｆｏｒｗａｒｄ  Ｒｅｌｏｃａｔｉｏｎ  Ｒｅｑｕｅｓｔ」を生成して、パケット交換機ＳＧＳＮに対して送信する。
【００６４】
或いは、移動管理用ノードＭＭＥは、ステップＳ１００４で述べたような方法により、優先すべき呼であることを検出し、優先呼情報等を含む「Ｆｏｒｗａｒｄ  Ｒｅｌｏｃａｔｉｏｎ  Ｒｅｑｕｅｓｔ」を生成して、パケット交換機ＳＧＳＮに対して送信してもよい。
【００６５】
ステップＳ１０１２において、パケット交換機ＳＧＳＮは、無線回線制御局ＲＮＣに対して、「Ｓｏｕｒｃｅ  ｔｏ  Ｔａｒｇｅｔ  Ｔｒａｎｓｐａｒｅｎｔ  Ｃｏｎｔａｉｎｅｒ」を含む「Ｒｅｌｏｃａｔｉｏｎ  Ｒｅｑｕｅｓｔ」を送信する。
【００６６】
ここで、パケット交換機ＳＧＳＮは、受信した「Ｆｏｒｗａｒｄ  Ｒｅｌｏｃａｔｉｏｎ  Ｒｅｑｕｅｓｔ」内の「Ｓｏｕｒｃｅ  ｔｏ  Ｔａｒｇｅｔ  Ｔｒａｎｓｐａｒｅｎｔ  Ｃｏｎｔａｉｎｅｒ」をそのまま含む「Ｒｅｌｏｃａｔｉｏｎ  Ｒｅｑｕｅｓｔ」を生成して、無線回線制御局ＲＮＣに対して送信する。
【００６７】
或いは、パケット交換機ＳＧＳＮは、受信した「Ｆｏｒｗａｒｄ  Ｒｅｌｏｃａｔｉｏｎ  Ｒｅｑｕｅｓｔ」に含まれる優先呼情報を検出して、当該優先呼情報等を含む「Ｒｅｌｏｃａｔｉｏｎ  Ｒｅｑｕｅｓｔ」を生成して、無線回線制御局ＲＮＣに対して送信してもよい。
【００６８】
ステップＳ１０１３において、無線回線制御局ＲＮＣは、受信した「Ｒｅｌｏｃａｔｉｏｎ  Ｒｅｑｕｅｓｔ」に対する優先制御処理を実施する。
【００６９】
ここで、図５及び図６を参照して、かかる「Ｒｅｌｏｃａｔｉｏｎ  Ｒｅｑｕｅｓｔ」に対する優先制御処理について説明する。
【００７０】
第１に、図５を参照して、「Ｒｅｌｏｃａｔｉｏｎ  Ｒｅｑｕｅｓｔ」に対する優先制御処理の第１例について説明する。
【００７１】
図５に示すように、無線回線制御局ＲＮＣは、ステップＳ３０１において、「Ｒｅｌｏｃａｔｉｏｎ  Ｒｅｑｕｅｓｔ」を受信すると、ステップＳ３０２において、ＲＡＢを設定するために必要なリソースが存在するか否かについて判定する。
【００７２】
かかるリソースが存在すると判定された場合、ステップＳ３０３において、無線回線制御局ＲＮＣは、ＲＡＢに対する通常のリソース割り当て処理を行う。
【００７３】
一方、かかるリソースが存在しないと判定された場合、ステップＳ３０４において、無線回線制御局ＲＮＣは、「Ｒｅｌｏｃａｔｉｏｎ  Ｒｅｑｕｅｓｔ」に優先呼情報が含まれているか否かについて判定する。
【００７４】
優先呼情報が含まれていると判定された場合、ステップＳ３０５において、無線回線制御局ＲＮＣは、事前に確保している優先移動局ＵＥ用のＲＡＢに対するリソースより、ＲＡＢを設定するために必要なリソースができた場合に、かかる優先移動局ＵＥ用のＲＡＢに対して当該リソースを割り当てる。
【００７５】
一方、優先呼情報が含まれていないと判定された場合、ステップＳ３０６において、無線回線制御局ＲＮＣは、パケット交換機ＳＧＳＮに対して、その旨を示す「Ｎｅｇａｔｉｖｅ  Ｒｅｓｐｏｎｓｅ」を送信する。
【００７６】
第２に、図６を参照して、「Ｒｅｌｏｃａｔｉｏｎ  Ｒｅｑｕｅｓｔ」に対する優先制御処理の第２例について説明する。
【００７７】
図６に示すように、無線回線制御局ＲＮＣは、ステップＳ４０１において、「Ｒｅｌｏｃａｔｉｏｎ  Ｒｅｑｕｅｓｔ」を受信すると、ステップＳ４０２において、「Ｒｅｌｏｃａｔｉｏｎ  Ｒｅｑｕｅｓｔ」に優先呼情報が含まれているか否かについて判定する。
【００７８】
優先呼情報が含まれていると判定された場合、ステップＳ４０３において、無線回線制御局ＲＮＣは、優先移動局ＵＥ用のＥ-ＲＡＢに対して優先的にリソースを割り当てる。
【００７９】
ここで、ＵＴＲＡＮにおいて、ＲＡＢを設定するために必要なリソースが存在しない場合、無線回線制御局ＲＮＣは、非優先移動局ＵＥ用のリソースを解放して、優先移動局ＵＥ用のＲＡＢに対して優先的にリソースを割り当てる。
【００８０】
一方、優先呼情報が含まれていないと判定された場合、ステップＳ４０４において、無線回線制御局ＲＮＣは、ＲＡＢに対する通常のリソースの割り当て処理を行う。
【００８１】
ここで、無線回線制御局ＲＮＣは、ＲＡＢに対してリソースを割り当てることができない場合には、パケット交換機ＳＧＳＮに対して、その旨を示す「Ｎｅｇａｔｉｖｅ  Ｒｅｓｐｏｎｓｅ」を送信する。
【００８２】
図２に戻り、ステップＳ１０１４において、無線回線制御局ＲＮＣは、優先移動局ＵＥ用のＲＡＢに対するリソースの割り当てに成功すると、パケット交換機ＳＧＳＮに対して、無線基地局ｅＮｏｄｅＢ宛ての情報要素に当該優先呼情報を含む「Ｒｅｌｏｃａｔｉｏｎ  Ｒｅｑｕｅｓｔ  Ａｃｋｎｏｗｌｅｄｇｅ」を送信する。
【００８３】
ステップＳ１０１５において、パケット交換機ＳＧＳＮは、移動管理用ノードＭＭＥに対して、無線基地局ｅＮｏｄｅＢ宛ての情報要素に当該優先呼情報を含む「Ｆｏｒｗａｒｄ  Ｒｅｌｏｃａｔｉｏｎ  Ｒｅｓｐｏｎｓｅ」を送信する。
【００８４】
ステップＳ１０１６において、移動管理用ノードＭＭＥは、無線基地局ｅＮｏｄｅＢに対して、無線基地局ｅＮｏｄｅＢ宛ての情報要素に当該優先呼情報を含む「Ｈａｎｄｏｖｅｒ  Ｃｏｍｍａｎｄ」を送信する。
【００８５】
ステップＳ１０１７において、無線基地局ｅＮｏｄｅＢは、優先移動局ＵＥに対して、「ＣＳＦＢ  Ｉｎｄｉｃａｔｏｒ」及び当該優先呼情報を含む「ＨＯ  ｆｒｏｍ  Ｅ-ＵＴＲＡＮ  Ｃｏｍｍａｎｄ」を送信する。
【００８６】
ステップＳ１０１８において、優先移動局ＵＥは、受信した「ＨＯ  ｆｒｏｍ  Ｅ-ＵＴＲＡＮ  Ｃｏｍｍａｎｄ」に対する優先制御処理を実施する。ここで、図７を参照して、かかる「ＨＯ  ｆｒｏｍ  Ｅ-ＵＴＲＡＮ  Ｃｏｍｍａｎｄ」に対する優先制御処理について説明する。
【００８７】
図７に示すように、移動局ＵＥ（例えば、優先移動局ＵＥ）は、ステップＳ５０１において、「ＨＯ  ｆｒｏｍ  Ｅ-ＵＴＲＡＮ  Ｃｏｍｍａｎｄ」を受信すると、ステップＳ５０２において、ＵＴＲＡＮにおいてアクセス規制が行われているか否かについて判定する。
【００８８】
ここで、移動局ＵＥは、「ＨＯ  ｆｒｏｍ  Ｅ-ＵＴＲＡＮ  Ｃｏｍｍａｎｄ」内の情報要素に基づいて、ＵＴＲＡＮにおいてアクセス規制が行われているか否かについて判定してもよいし、無線回線制御局ＲＮＣ配下のセルにおける報知情報に基づいて、ＵＴＲＡＮにおいてアクセス規制が行われているか否かについて判定してもよい。
【００８９】
アクセス規制が行われていると判定された場合、移動局ＵＥは、ステップＳ５０３において、「ＨＯ  ｆｒｏｍ  Ｅ-ＵＴＲＡＮ  Ｃｏｍｍａｎｄ」に優先呼情報が含まれているか否かについて判定する。
【００９０】
優先呼情報が含まれていないと判定された場合、ステップＳ５０４において、移動局ＵＥは、無線回線制御局ＲＮＣに対して、「Ｈａｎｄｏｖｅｒ  ｔｏ  ＵＴＲＡＮ  Ｃｏｍｐｌｅｔｅ」を送信することなく、ＣＳＦＢ手順を行うことができないと判断して、ＥＵＴＲＡＮへの再接続処理を行う。
【００９１】
一方、優先呼情報が含まれていると判定された場合、ステップＳ５０５（図２に示すＳ１０１９に対応）において、移動局ＵＥは、無線回線制御局ＲＮＣに対して、「Ｈａｎｄｏｖｅｒ  ｔｏ  ＵＴＲＡＮ  Ｃｏｍｐｌｅｔｅ」を送信する。
【００９２】
また、ステップＳ５０２において、アクセス規制が行われていないと判定された場合、ステップＳ５０５（図２に示すＳ１０１９に対応）において、移動局ＵＥは、無線回線制御局ＲＮＣに対して、「Ｈａｎｄｏｖｅｒ  ｔｏ  ＵＴＲＡＮ  Ｃｏｍｐｌｅｔｅ」を送信する。
【００９３】
なお、ステップＳ１０１８の処理は、省略されてもよい。
【００９４】
ステップＳ１０２０において、無線回線制御局ＲＮＣは、受信した「Ｈａｎｄｏｖｅｒ  ｔｏ  ＵＴＲＡＮ  Ｃｏｍｐｌｅｔｅ」に対する優先制御処理を実施する。
【００９５】
例えば、無線回線制御局ＲＮＣは、ＵＴＲＡＮ側のＲＲＣ機能等が輻輳している場合には、優先呼情報が含まれている「Ｈａｎｄｏｖｅｒ  ｔｏ  ＵＴＲＡＮ  Ｃｏｍｐｌｅｔｅ」のみを受け付けるように構成されていてもよい。
【００９６】
無線回線制御局ＲＮＣは、受信した「Ｈａｎｄｏｖｅｒ  ｔｏ  ＵＴＲＡＮ  Ｃｏｍｐｌｅｔｅ」を受け付けた場合、ステップＳ１０２１において、パケット交換機ＳＧＳＮに対して、「Ｒｅｌｏｃａｔｉｏｎ  Ｃｏｍｐｌｅｔｅ」を送信する。
【００９７】
ステップＳ１０２２において、パケット交換機ＳＧＳＮは、移動管理用ノードＭＭＥに対して、「Ｆｏｒｗａｒｄ  Ｒｅｌｏｃａｔｉｏｎ  Ｃｏｍｐｌｅｔｅ」を送信し、ステップＳ１０２３において、移動管理用ノードＭＭＥは、パケット交換機ＳＧＳＮに対して、「Ｆｏｒｗａｒｄ  Ｒｅｌｏｃａｔｉｏｎ  Ｃｏｍｐｌｅｔｅ  Ａｃｋｎｏｗｌｅｇｅ」を送信する。
【００９８】
ステップＳ１０２４において、パケット交換機ＳＧＳＮは、サービングゲートウェイ装置Ｓ-ＧＷに対して、「Ｍｏｄｉｆｙ  Ｂｅａｒｅｒ  Ｒｅｑｕｅｓｔ」を送信し、ステップＳ１０２５において、サービングゲートウェイ装置Ｓ-ＧＷは、パケット交換機ＳＧＳＮに対して、「Ｍｏｄｉｆｙ  Ｂｅａｒｅｒ  Ｒｅｓｐｏｎｓｅ」を送信する。
【００９９】
第２に、図８を参照して、本実施形態に係る移動通信システムにおいて、Ｉｄｌｅ状態の優先移動局ＵＥに対する着信処理に伴うＣＳＦＢ手順の一部動作について説明する。
【０１００】
図８に示すように、ステップＳ２００１において、Ｅ-ＵＴＲＡＮにおいてＩｄｌｅ状態である移動局ＵＥ宛ての優先移動局からの着信が発生すると、回線交換機ＭＳＣは、ステップＳ２００２において、優先呼情報を含む「ＩＡＭ/Ｉｎｖｉｔｅ」を受信し、ステップＳ２００３において、「ＳＧｓ  ｓｔａｔｕｓ」が「ＳＧｓ-ＡＳＳＯＣＩＡＴＥ」であることを確認し、ステップＳ２００４及びＳ２００５において、ＳＧｓのＡｓｓｏｃｉａｔｉｏｎ先の移動管理用ノードＭＭＥに対して、優先呼情報を含む「ＳＧｓＡＰ-ＰＡＧＩＮＧ-ＲＥＱＵＥＳＴ（Ｐａｇｉｎｇ）」を送信する。
【０１０１】
ステップ２００６において、移動管理用ノードＭＭＥは、無線基地局ｅＮｏｄｅＢに対して、優先呼情報を含む「Ｐａｇｉｎｇ」を送信し、ステップＳ２００７において、無線基地局ｅＮｏｄｅＢは、移動局ＵＥに対して、優先呼情報を含む「Ｐａｇｉｎｇ」を送信する。
【０１０２】
ステップＳ２００８において、移動局ＵＥは、受信した「Ｐａｇｉｎｇ」に基づいて、無線基地局ｅＮｏｄｅＢに対して、優先呼情報を含む「ＲＲＣ  Ｃｏｎｎｅｃｔｉｏｎ  Ｒｅｑｕｅｓｔ」を送信する。
【０１０３】
ステップＳ２００９において、無線基地局ｅＮｏｄｅＢは、受信した「ＲＲＣ  Ｃｏｎｎｅｃｔｉｏｎ  Ｒｅｑｕｅｓｔ」に対する優先制御処理を実施する。
【０１０４】
例えば、無線基地局ｅＮｏｄｅＢは、Ｅ-ＵＴＲＡＮ側のＲＲＣ機能等が輻輳している場合には、優先呼情報が含まれている「ＲＲＣ  Ｃｏｎｎｅｃｔｉｏｎ  Ｒｅｑｕｅｓｔ」のみを受け付けるように構成されていてもよい。
【０１０５】
なお、ステップＳ２００７において、無線基地局ｅＮｏｄｅＢは、移動局ＵＥに対して、優先呼情報を含まない「Ｐａｇｉｎｇ」を送信してもよい。かかる場合、ステップＳ２００９において、無線基地局ｅＮｏｄｅＢは、受信した「ＲＲＣ  Ｃｏｎｎｅｃｔｉｏｎ  Ｒｅｑｕｅｓｔ」に対する優先制御処理を実施しない。
【０１０６】
無線基地局ｅＮｏｄｅＢは、受信した「ＲＲＣ  Ｃｏｎｎｅｃｔｉｏｎ  Ｒｅｑｕｅｓｔ」を受け付けた場合、ステップＳ２０１０において、移動局ＵＥに対して、「ＲＲＣ  Ｃｏｎｎｅｃｔｉｏｎ  Ｓｅｔｕｐ」を送信する。
【０１０７】
ステップＳ２０１１において、移動局ＵＥは、無線基地局ｅＮｏｄｅＢに対して、「ＣＳＦＢ  Ｉｎｄｉｃａｔｏｒ」を含む「Ｅｘｔｅｎｄｅｄ  Ｓｅｒｖｉｃｅ  Ｒｅｑｕｅｓｔ」を含む「ＲＲＣ  Ｃｏｎｎｅｃｔｉｏｎ  Ｃｏｍｐｌｅｔｅ」を送信する。
【０１０８】
ステップＳ２０１２において、無線基地局ｅＮｏｄｅＢは、移動管理用ノードＭＭＥに対して、「ＣＳＦＢ  Ｉｎｄｉｃａｔｏｒ」を含む「Ｅｘｔｅｎｄｅｄ  Ｓｅｒｖｉｃｅ  Ｒｅｑｕｅｓｔ」を送信し、ステップＳ２０１３において、移動管理用ノードＭＭＥは、回線交換機ＭＳＣに対して、「Ｓｅｒｖｉｃｅ  Ｒｅｑｕｅｓｔ」を送信する。
【０１０９】
以下、ステップＳ２０１４乃至Ｓ２０３５の動作は、図２に示すステップＳ１００４乃至Ｓ１０２５の動作と同一である。
【０１１０】
第３に、図９を参照して、本実施形態に係る移動通信システムにおいて、Ａｃｔｉｖｅ状態の優先移動局ＵＥに対する着信処理に伴うＣＳＦＢ手順の一部動作について説明する。かかるＣＳＦＢ手順では、優先移動局ＵＥ用のＥ-ＲＡＢは、既に設定されている。
【０１１１】
ステップＳ３００１乃至Ｓ３００５の動作は、図８に示すステップＳ２００１乃至Ｓ２００５の動作と同一である。
【０１１２】
移動管理用ノードＭＭＥは、ステップＳ３００６において、移動局ＵＥに対して、「ＣＳ  Ｓｅｒｖｉｃｅ  Ｎｏｔｉｆｉｃａｔｉｏｎ」を送信し、ステップＳ３００７において、回線交換機ＭＳＣに対して、「Ｓｅｒｖｉｃｅ  Ｒｅｑｕｅｓｔ」を送信する。
【０１１３】
ステップＳ３００８において、移動局ＵＥは、無線基地局ｅＮｏｄｅＢに対して、「Ｃ
ＳＦＢ  Ｉｎｄｉｃａｔｏｒ」を含む「Ｅｘｔｅｎｄｅｄ  Ｓｅｒｖｉｃｅ  Ｒｅｑｕｅｓｔ」を送信し、ステップＳ３００９において、無線基地局ｅＮｏｄｅＢは、移動管理用ノードＭＭＥに対して、「ＣＳＦＢ  Ｉｎｄｉｃａｔｏｒ」を含む「Ｅｘｔｅｎｄｅｄ  Ｓｅｒｖｉｃｅ  Ｒｅｑｕｅｓｔ」を送信する。
【０１１４】
移動管理用ノードＭＭＥは、ステップＳ３００９において、ステップＳ３００６に対する応答信号である「Ｅｘｔｅｎｄｅｄ  Ｓｅｒｖｉｃｅ  Ｒｅｑｕｅｓｔ」を受信したことを契機に、ステップＳ３０１０において、無線基地局ｅＮｏｄｅＢに対して、「ＣＳＦＢ  Ｉｎｄｉｃａｔｏｒ」及び優先呼情報を含む「ＵＥ  Ｃｏｎｔｅｘｔ  Ｍｏｄｉｆｉｃａｔｉｏｎ  Ｒｅｑｕｅｓｔ」を送信する。
【０１１５】
無線基地局ｅＮｏｄｅＢは、ステップＳ３０１１において、受信した「ＵＥ  Ｃｏｎｔｅｘｔ  Ｍｏｄｉｆｉｃａｔｉｏｎ  Ｒｅｑｕｅｓｔ」に「ＣＳＦＢ  Ｉｎｄｉｃａｔｏｒ」が含まれていることを検出すると、ステップＳ３０１２において、受信した「ＵＥ  Ｃｏｎｔｅｘｔ  Ｍｏｄｉｆｉｃａｔｉｏｎ  Ｒｅｑｕｅｓｔ」に対する優先制御処理を行う。
【０１１６】
ここで、図１０及び図１１を参照して、かかる「ＵＥ  Ｃｏｎｔｅｘｔ  Ｍｏｄｉｆｉｃａｔｉｏｎ  Ｒｅｑｕｅｓｔ」に対する優先制御処理について説明する。
【０１１７】
第１に、図１０を参照して、「ＵＥ  Ｃｏｎｔｅｘｔ  Ｍｏｄｉｆｉｃａｔｉｏｎ  Ｒｅｑｕｅｓｔ」に対する優先制御処理の第１例について説明する。
【０１１８】
図１０に示すように、無線基地局ｅＮｏｄｅＢは、ステップＳ６０１において、「ＵＥ  Ｃｏｎｔｅｘｔ  Ｍｏｄｉｆｉｃａｔｉｏｎ  Ｒｅｑｕｅｓｔ」を受信すると、ステップＳ６０２において、無線基地局ｅＮｏｄｅＢは、移動先ＲＡＴ、すなわち、ＵＴＲＡＮにおいて、ＲＡＢを設定するために必要なリソースが存在するか否かについて判定する。
【０１１９】
かかるリソースが存在すると判定された場合、ステップＳ６０３において、無線基地局ｅＮｏｄｅＢは、かかるＣＳＦＢ手順を継続する。すなわち、図９に示すステップＳ３０１３において、無線基地局ｅＮｏｄｅＢは、移動管理用ノードＭＭＥに対して、「ＵＥ  Ｃｏｎｔｅｘｔ  Ｍｏｄｉｆｉｃａｔｉｏｎ  Ｒｅｓｐｏｎｓｅ」を送信する。
【０１２０】
一方、かかるリソースが存在しないと判定された場合、ステップＳ６０４において、無線基地局ｅＮｏｄｅＢは、「ＵＥ  Ｃｏｎｔｅｘｔ  Ｍｏｄｉｆｉｃａｔｉｏｎ  Ｒｅｑｕｅｓｔ」に優先呼情報が含まれているか否かについて判定する。
【０１２１】
優先呼情報が含まれていると判定された場合、ステップＳ６０５において、無線基地局ｅＮｏｄｅＢは、かかるＣＳＦＢ手順（ＰＳ  ＨＯ手順）を中断し、「Ｒｅｌｅａｓｅ  ｗｉｔｈ  Ｒｅｄｉｒｅｃｔｉｏｎ手順」に移行する。
【０１２２】
例えば、かかる「Ｒｅｌｅａｓｅ  ｗｉｔｈ  Ｒｅｄｉｒｅｃｔｉｏｎ手順」では、無線基地局ｅＮｏｄｅＢは、移動管理用ノードＭＭＥに対して、「Ｒｅｌｅａｓｅ  ｗｉｔｈ  Ｒｅｄｉｒｅｃｔｉｏｎ手順」に移行することを示すエラー情報を含む「ＵＥ  Ｃｏｎｔｅｘｔ  Ｍｏｄｉｆｉｃａｔｉｏｎ  Ｒｅｓｐｏｎｓｅ」を送信してもよい。
【０１２３】
一方、優先呼情報が含まれていないと判定された場合、ステップＳ６０６において、無線基地局ｅＮｏｄｅＢは、かかるＣＳＦＢ手順（ＰＳ  ＨＯ手順）の失敗処理を行う。
【０１２４】
ここで、ステップＳ６０２の処理を省略し、無線基地局ｅＮｏｄｅＢは、「ＵＥ  Ｃｏｎｔｅｘｔ  Ｍｏｄｉｆｉｃａｔｉｏｎ  Ｒｅｑｕｅｓｔ」を受信した場合には、ステップＳ３０１３において、移動管理用ノードＭＭＥに対して、「ＵＥ  Ｃｏｎｔｅｘｔ  Ｍｏｄｉｆｉｃａｔｉｏｎ  Ｒｅｓｐｏｎｓｅ」を送信するように構成されていてもよい。
【０１２５】
第２に、図１１を参照して、「ＵＥ  Ｃｏｎｔｅｘｔ  Ｍｏｄｉｆｉｃａｔｉｏｎ  Ｒｅｑｕｅｓｔ」に対する優先制御処理の第２例について説明する。
【０１２６】
図１１に示すように、無線基地局ｅＮｏｄｅＢは、ステップＳ７０１において、「ＵＥ  Ｃｏｎｔｅｘｔ  Ｍｏｄｉｆｉｃａｔｉｏｎ  Ｒｅｑｕｅｓｔ」を受信すると、ステップＳ７０２において、「ＵＥ  Ｃｏｎｔｅｘｔ  Ｍｏｄｉｆｉｃａｔｉｏｎ  Ｒｅｑｕｅｓｔ」に優先呼情報が含まれているか否かについて判定する。
【０１２７】
優先呼情報が含まれていないと判定された場合、ステップＳ７０３において、無線基地局ｅＮｏｄｅＢは、かかるＣＳＦＢ手順（ＰＳ  ＨＯ手順）を継続する。すなわち、図９に示すステップＳ３０１３において、無線基地局ｅＮｏｄｅＢは、移動管理用ノードＭＭＥに対して、「ＵＥ  Ｃｏｎｔｅｘｔ  Ｍｏｄｉｆｉｃａｔｉｏｎ  Ｒｅｓｐｏｎｓｅ」を送信する。
【０１２８】
一方、優先呼情報が含まれていると判定された場合、ステップＳ７０４において、無線基地局ｅＮｏｄｅＢは、移動先ＲＡＴ、すなわち、ＵＴＲＡＮにおいて、ＲＡＢを設定するために必要なリソースが存在するか否かについて判定する。
【０１２９】
かかるリソースが存在すると判定された場合、ステップＳ７０５において、無線基地局ｅＮｏｄｅＢは、かかるＣＳＦＢ手順（ＰＳ  ＨＯ手順）を継続する。すなわち、ステップＳ３０１３において、無線基地局ｅＮｏｄｅＢは、移動管理用ノードＭＭＥに対して、「ＵＥ  Ｃｏｎｔｅｘｔ  Ｍｏｄｉｆｉｃａｔｉｏｎ  Ｒｅｓｐｏｎｓｅ」を送信する。
【０１３０】
一方、かかるリソースが存在しないと判定された場合、ステップＳ７０６において、無線基地局ｅＮｏｄｅＢは、かかるＣＳＦＢ手順（ＰＳ  ＨＯ手順）を中断し、「Ｒｅｌｅａｓｅ  ｗｉｔｈ  Ｒｅｄｉｒｅｃｔｉｏｎ手順」に移行してもよい。
【０１３１】
例えば、かかる「Ｒｅｌｅａｓｅ  ｗｉｔｈ  Ｒｅｄｉｒｅｃｔｉｏｎ手順」では、無線基地局ｅＮｏｄｅＢは、移動管理用ノードＭＭＥに対して、「Ｒｅｌｅａｓｅ  ｗｉｔｈ  Ｒｅｄｉｒｅｃｔｉｏｎ手順」に移行することを示すエラー情報を含む「ＵＥ  Ｃｏｎｔｅｘｔ  Ｍｏｄｉｆｉｃａｔｉｏｎ  Ｒｅｓｐｏｎｓｅ」を送信してもよい。
【０１３２】
ここで、ステップＳ７０４の処理を、図１１のＢの時点で行い、ステップＳ７０４において、上述のリソースが存在すると判定された場合、ステップＳ７０３において、無線基地局ｅＮｏｄｅＢは、かかるＣＳＦＢ手順（ＰＳ  ＨＯ手順）を継続し、上述のリソースが存在しないと判定された場合、ステップＳ７０６において、無線基地局ｅＮｏｄｅＢは、かかるＣＳＦＢ手順（ＰＳ  ＨＯ手順）を中断し、「Ｒｅｌｅａｓｅ  ｗｉｔｈ  Ｒｅｄｉｒｅｃｔｉｏｎ手順」に移行してもよい。
【０１３３】
かかる場合、ステップＳ７０２において、優先呼情報が含まれていると判定された場合、ステップＳ７０５において、無線基地局ｅＮｏｄｅＢは、かかるＣＳＦＢ手順（ＰＳ  ＨＯ手順）を継続してもよい。
【０１３４】
図９に戻り、以降、図８に示す処理Ｘを実現する。
【０１３５】
本実施形態に係る移動通信システムによれば、優先移動局ＵＥからの発信或いは着信といった優先すべき通信に係るＣＳＦＢ手順におけるＥ-ＲＡＢの設定処理やＲＡＢの設定処理やＲＲＣコネクションの設定処理を優先的に行うことができるので、優先移動局ＵＥの発信処理や着信処理に伴うＣＳＦＢ手順を優先的に行うことができる。
【０１３６】
以上に述べた本実施形態の特徴は、以下のように表現されていてもよい。
【０１３７】
本実施形態の第１の特徴は、移動通信方法であって、Ｉｄｌｅ状態の移動局ＵＥ（例えば、優先移動局ＵＥ又は非優先移動局ＵＥに対する発信処理を行う優先移動局ＵＥや、優先移動局ＵＥからの着信処理を行う優先移動局ＵＥ又は非優先移動局ＵＥ）が、ＬＴＥ方式の（回線交換通信に対応していない第１通信方式）の無線基地局ｅＮｏｄｅＢ（無線アクセスネットワーク装置）を介して、移動管理用ノードＭＭＥに対して、「Ｅｘｔｅｎｄｅｄ  Ｓｅｒｖｉｃｅ  Ｒｅｑｕｅｓｔ（回線交換通信の開始要求信号）」を送信する工程と、移動管理用ノードＭＭＥが、無線基地局ｅＮｏｄｅＢに対して、移動局ＵＥと無線基地局ｅＮｏｄｅＢとの間でＥ-ＲＡＢ（第１通信方式の無線ベアラ）を設定するように要求し、優先呼情報を含む「Ｉｎｉｔｉａｌ  ＵＥ  Ｃｏｎｔｅｘｔ  Ｓｅｔｕｐ  Ｒｅｑｕｅｓｔ（無線ベアラ設定要求信号）」を送信する工程と、無線基地局ｅＮｏｄｅＢが、受信した「Ｉｎｉｔｉａｌ  ＵＥ  Ｃｏｎｔｅｘｔ  Ｓｅｔｕｐ  Ｒｅｑｕｅｓｔ」に含まれる優先呼情報に基づいて、移動局ＵＥ用のＥ-ＲＡＢに対して優先的にリソースを割り当てる工程とを有することを要旨とする。
【０１３８】
本実施形態の第１の特徴において、移動局ＵＥ用のＥ-ＲＡＢが設定された後、無線基地局ｅＮｏｄｅＢが、移動管理用ノードＭＭＥを介して、２Ｇ/３Ｇ方式（回線交換通信に対応する第２通信方式）のパケット交換機ＳＧＳＮに対して、優先呼情報を含む「Ｈａｎｄｏｖｅｒ  Ｒｅｑｕｉｒｅｄ/Ｆｏｒｗａｒｄ  Ｒｅｌｏｃａｔｉｏｎ  Ｒｅｑｕｅｓｔ（切替要求信号）」を送信する工程と、パケット交換機ＳＧＳＮが、無線回線制御局ＲＮＣ（第２通信方式の無線アクセスネットワーク装置）に対して、優先呼情報を含む「Ｒｅｌｏｃａｔｉｏｎ  Ｒｅｑｕｅｓｔ（切替要求信号）」を送信する工程と、無線回線制御局ＲＮＣが、受信した「Ｒｅｌｏｃａｔｉｏｎ  Ｒｅｑｕｅｓｔ」に含まれる優先呼情報に基づいて、移動局ＵＥと無線回線制御局ＲＮＣとの間におけるＲＡＢ（第２通信方式の無線ベアラ）に対して優先的にリソースを割り当てる工程とを有してもよい。
【０１３９】
本実施形態の第１の特徴において、移動局ＵＥ用のＲＡＢに対してリソースが割り当てられた後、無線回線制御局ＲＮＣが、パケット交換機ＳＧＳＮに対して、優先呼情報を含む「Ｒｅｌｏｃａｔｉｏｎ  Ｒｅｑｕｅｓｔ  Ａｃｋｎｏｗｌｅｄｇｅ（切替要求応答信号）」を送信する工程と、パケット交換機ＳＧＳＮが、移動管理用ノードＭＭＥを介して、無線基地局ｅＮｏｄｅＢに対して、優先呼情報を含む「Ｆｏｗａｒｄ  Ｒｅｌｏｃａｔｉｏｎ  Ｒｅｓｐｏｎｓｅ/Ｈａｎｄｏｂｅｒ  Ｃｏｍｍａｎｄ（切替要求信号）」を送信する工程と、無線基地局ｅＮｏｄｅＢが、移動局ＵＥに対して、優先呼情報を含む「ＨＯ  ｆｒｏｍ  Ｅ-ＵＴＲＡＮ  Ｃｏｍｍａｎｄ（切替要求信号）」を送信する工程と、移動局ＵＥが、２Ｇ/３Ｇ方式においてアクセス規制が行われている場合であっても、受信した「ＨＯ  ｆｒｏｍ  Ｅ-ＵＴＲＡＮ  Ｃｏｍｍａｎｄ」に優先呼情報が含まれている場合には、無線回線制御局ＲＮＣに対して、「Ｈａｎｄｏｖｅｒ  ｔｏ  ＵＴＲＡＮ  Ｃｏｍｐｌｅｔｅ（切替要求信号に対する応答信号）」を送信する工程とを有してもよい。
【０１４０】
本実施形態の第１の特徴において、移動局ＵＥ用のＲＡＢに対してリソースが割り当てられた後、無線回線制御局ＲＮＣが、パケット交換機ＳＧＳＮに対して、優先呼情報を含む「Ｒｅｌｏｃａｔｉｏｎ  Ｒｅｑｕｅｓｔ  Ａｃｋｎｏｗｌｅｄｇｅ」を送信する工程と、パケット交換機ＳＧＳＮが、移動管理用ノードＭＭＥを介して、無線基地局ｅＮｏｄｅＢに対して、優先呼情報を含む「Ｆｏｗａｒｄ  Ｒｅｌｏｃａｔｉｏｎ  Ｒｅｓｐｏｎｓｅ/Ｈａｎｄｏｂｅｒ  Ｃｏｍｍａｎｄ」を送信する工程と、無線基地局ｅＮｏｄｅＢが、移動局ＵＥに対して、優先呼情報を含む「ＨＯ  ｆｒｏｍ  Ｅ-ＵＴＲＡＮ  Ｃｏｍｍａｎｄ」を送信する工程と、移動局ＵＥが、無線回線制御局ＲＮＣに対して、優先呼情報を含む「Ｈａｎｄｏｖｅｒ  ｔｏ  ＵＴＲＡＮ  Ｃｏｍｐｌｅｔｅ」を送信する工程と、無線回線制御局ＲＮＣが、受信した「Ｈａｎｄｏｖｅｒ  ｔｏ  ＵＴＲＡＮ  Ｃｏｍｐｌｅｔｅ」に含まれる優先呼情報に基づいて、かかる「Ｈａｎｄｏｖｅｒ  ｔｏ  ＵＴＲ
ＡＮ  Ｃｏｍｐｌｅｔｅ」を優先的に受け付ける工程とを有してもよい。
【０１４１】
本実施形態の第２の特徴は、移動通信方法であって、無線基地局ｅＮｏｄｅＢとの間でＥ-ＲＡＢが設定されている移動局ＵＥ（すなわち、Ａｃｔｉｖｅ状態の移動局ＵＥ）が、無線基地局ｅＮｏｄｅＢを介して、移動管理用ノードＭＭＥに対して、「Ｅｘｔｅｎｄｅｄ  Ｓｅｒｖｉｃｅ  Ｒｅｑｕｅｓｔ」を送信する工程と、移動管理用ノードＭＭＥが、無線基地局ｅＮｏｄｅＢに対して、優先呼情報を含む「ＵＥ  Ｃｏｎｔｅｘｔ  Ｍｏｄｉｆｉｃａｔｉｏｎ  Ｒｅｑｕｅｓｔ（設定変更要求信号）」を送信する工程と、無線基地局ｅＮｏｄｅＢが、受信した「ＵＥ  Ｃｏｎｔｅｘｔ  Ｍｏｄｉｆｉｃａｔｉｏｎ  Ｒｅｑｕｅｓｔ」に応じて、２Ｇ/３Ｇ方式において使用可能なリソースが存在するか否かについて判定する工程と、２Ｇ/３Ｇ方式において使用可能なリソースが存在しないと判定された場合であっても、「ＵＥ  Ｃｏｎｔｅｘｔ  Ｍｏｄｉｆｉｃａｔｉｏｎ  Ｒｅｑｕｅｓｔ」に優先呼情報が含まれている場合には、Ｅ-ＲＡＢの解放手順を行う工程とを有することを要旨とする。
【０１４２】
本実施形態の第３の特徴は、無線基地局ｅＮｏｄｅＢであって、Ｉｄｌｅ状態の移動局ＵＥから受信した「Ｅｘｔｅｎｄｅｄ  Ｓｅｒｖｉｃｅ  Ｒｅｑｕｅｓｔ」を、移動管理用ノードＭＭＥに対して送信するように構成されており、移動管理用ノードＭＭＥから、移動局ＵＥと無線基地局ｅＮｏｄｅＢとの間でＥ-ＲＡＢを設定するように要求し、優先呼情報を含む「Ｉｎｉｔｉａｌ  ＵＥ  Ｃｏｎｔｅｘｔ  Ｓｅｔｕｐ  Ｒｅｑｕｅｓｔ」を受信するように構成されており、受信した「Ｉｎｉｔｉａｌ  ＵＥ  Ｃｏｎｔｅｘｔ  Ｓｅｔｕｐ  Ｒｅｑｕｅｓｔ」に含まれる優先呼情報に基づいて、移動局ＵＥ用のＥ-ＲＡＢに対して優先的にリソースを割り当てるように構成されていることを要旨とする。
【０１４３】
本実施形態の第４の特徴は、無線基地局ｅＮｏｄｅＢであって、無線基地局ｅＮｏｄｅＢとの間でＥ-ＲＡＢが設定されている移動局（すなわち、Ａｃｔｉｖｅ状態の移動局ＵＥ）から受信した「Ｅｘｔｅｎｄｅｄ  Ｓｅｒｖｉｃｅ  Ｒｅｑｕｅｓｔ」を、移動管理用ノードＭＭＥに対して送信するように構成されており、移動管理用ノードＭＭＥから受信した「ＵＥ  Ｃｏｎｔｅｘｔ  Ｍｏｄｉｆｉｃａｔｉｏｎ  Ｒｅｑｕｅｓｔ」に応じて、２Ｇ/３Ｇ方式において使用可能なリソースが存在するか否かについて判定するように構成されており、２Ｇ/３Ｇ方式において使用可能なリソースが存在しないと判定された場合であっても、「ＵＥ  Ｃｏｎｔｅｘｔ  Ｍｏｄｉｆｉｃａｔｉｏｎ  Ｒｅｑｕｅｓｔ」に優先呼情報が含まれている場合には、Ｅ-ＲＡＢの解放手順を行うように構成されていることを要旨とする。
【０１４４】
本実施形態の第５の特徴は、無線回線制御局ＲＮＣであって、移動局ＵＥと無線基地局ｅＮｏｄｅＢとの間のＥ-ＲＡＢが設定された後、無線基地局ｅＮｏｄｅＢから、移動管理用ノードＭＭＥ及びパケット交換機ＳＧＳＮを介して、優先呼情報を含む「Ｆｏｒｗａｒｄ  Ｒｅｌｏｃａｔｉｏｎ  Ｒｅｑｕｅｓｔ」を受信するように構成されており、受信した「Ｒｅｌｏｃａｔｉｏｎ  Ｒｅｑｕｅｓｔ」に含まれる優先呼情報に基づいて、移動局ＵＥと無線回線制御局ＲＮＣとの間におけるＲＡＢに対して優先的にリソースを割り当てるように構成されていることを要旨とする。
【０１４５】
本実施形態の第６の特徴は、移動局ＵＥであって、無線基地局ｅＮｏｄｅＢを介して、移動管理用ノードＭＭＥに対して、「Ｅｘｔｅｎｄｅｄ  Ｓｅｒｖｉｃｅ  Ｒｅｑｕｅｓｔ」を送信するように構成されており、２Ｇ/３Ｇ方式においてアクセス規制が行われている場合であっても、無線基地局ｅＮｏｄｅＢから受信した「ＨＯ  ｆｒｏｍ  Ｅ-ＵＴＲＡＮ  Ｃｏｍｍａｎｄ」に優先呼情報が含まれている場合には、無線回線制御局ＲＮＣに対して、「Ｈａｎｄｏｖｅｒ  ｔｏ  ＵＴＲＡＮ  Ｃｏｍｐｌｅｔｅ」を送信するように構成されていることを要旨とする。
【０１４６】
なお、上述の移動局ＵＥや無線基地局ｅＮｏｄｅＢや無線回線制御局ＲＮＣや移動管理用ノードＭＭＥやゲートウェイ装置Ｐ-ＧＷやゲートウェイ装置Ｓ-ＧＷや回線交換機ＭＳＣやパケット交換機ＳＧＳＮの動作は、ハードウェアによって実施されてもよいし、プロセッサによって実行されるソフトウェアモジュールによって実施されてもよいし、両者の組み合わせによって実施されてもよい。
【０１４７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮｏｄｅＢや無線回線制御局ＲＮＣや移動管理用ノードＭＭＥやゲートウェイ装置Ｐ-ＧＷやゲートウェイ装置Ｓ-ＧＷや回線交換機ＭＳＣやパケット交換機ＳＧＳＮ内に設けられていてもよい。また、かかる記憶媒体及びプロセッサは、ディスクリートコンポーネントとして移動局ＵＥや無線基地局ｅＮｏｄｅＢや無線回線制御局ＲＮＣや移動管理用ノードＭＭＥやゲートウェイ装置Ｐ-ＧＷやゲートウェイ装置Ｓ-ＧＷや回線交換機ＭＳＣやパケット交換機ＳＧＳＮ内に設けられていてもよい。
【０１４９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１５０】
ｅＮｏｄｅＢ…無線基地局
ＭＭＥ…移動管理用ノード
ＵＥ…移動局
Ｐ-ＧＷ、Ｓ-ＧＷ…ゲートウェイ装置
ＭＳＣ…回線交換機
ＳＧＳＮ…パケット交換機
ＲＮＣ…無線回線制御局
【図１】
2011166749.tif 000003
【図２】
2011166749.tif 000004
【図３】
2011166749.tif 000005
【図４】
2011166749.tif 000006
【図５】
2011166749.tif 000007
【図６】
2011166749.tif 000008
【図７】
2011166749.tif 000009
【図８】
2011166749.tif 000010
【図９】
2011166749.tif 000011
【図１０】
2011166749.tif 000012
【図１１】
2011166749.tif 000013
【図１２】
2011166749.tif 000014
【図１３】
2011166749.tif 000015
【図１４】
2011166749.tif 000016
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
回線交換通信に対応していない第１通信方式の無線アクセスネットワーク装置との間で該第１通信方式の無線ベアラが設定されている移動局が、該第１通信方式の無線アクセスネットワーク装置を介して、移動管理用ノードに対して、回線交換通信の開始要求信号を送信する工程と、
前記移動管理用ノードが、前記第１通信方式の無線アクセスネットワーク装置に対して、優先呼情報を含む設定変更要求信号を送信する工程と、
前記第１通信方式の無線アクセスネットワーク装置が、前記移動局に対して、前記優先呼情報を含む切替要求信号を送信する工程と、
前記移動局が、受信した前記切替要求信号に前記優先呼情報が含まれている場合には、前記第２通信方式の無線アクセスネットワーク装置に対して、該優先呼情報を含む信号を送信する工程とを有することを特徴とする移動通信方法。
【請求項２】
回線交換通信に対応していない第１通信方式の無線アクセスネットワークにおいてＩｄｌｅ状態の移動局が、該第１通信方式の無線アクセスネットワーク装置を介して、移動管理用ノードに対して、回線交換通信の開始要求信号を送信する工程と、
前記移動管理用ノードが、前記第１通信方式の無線アクセスネットワーク装置に対して、優先呼情報を含む設定要求信号を送信する工程と、
前記第１通信方式の無線アクセスネットワーク装置が、前記移動局に対して、前記優先呼情報を含む切替要求信号を送信する工程と、
前記移動局が、受信した前記切替要求信号に前記優先呼情報が含まれている場合には、前記第２通信方式の無線アクセスネットワーク装置に対して、該優先呼情報を含む信号を送信する工程とを有することを特徴とする移動通信方法。
【請求項３】
回線交換通信に対応していない第１通信方式の無線アクセスネットワーク装置を介して、移動管理用ノードに対して、回線交換通信の開始要求信号を送信するように構成されており、
前記第１通信方式の無線アクセスネットワーク装置から受信した切替要求信号に優先呼情報が含まれている場合には、該第２通信方式の無線アクセスネットワーク装置に対して、該優先呼情報を含む信号を送信するように構成されていることを特徴とする移動局。
【請求項４】
回線交換通信に対応していない第１通信方式の無線アクセスネットワーク装置であって、
前記第１通信方式の無線アクセスネットワーク装置との間で該第１通信方式の無線ベアラが設定されている移動局によって送信された回線交換通信の開始要求信号を移動管理用ノードに対して転送した後、該移動管理用ノードから優先呼情報を含む設定変更要求信号を受信した場合、該移動局に対して該優先呼情報を含む切替要求信号を送信するように構成されていることを特徴とする無線アクセスネットワーク装置。
【請求項５】
回線交換通信に対応していない第１通信方式の無線アクセスネットワーク装置であって、
前記第１通信方式の無線アクセスネットワークにおいてＩｄｌｅ状態の移動局によって送信された回線交換通信の開始要求信号を移動管理用ノードに対して転送した後、該移動管理用ノードから優先呼情報を含む設定要求信号を受信した場合、該移動局に対して該優先呼情報を含む切替要求信号を送信するように構成されていることを特徴とする無線アクセスネットワーク装置。
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
回線交換通信に対応していない第１通信方式の無線アクセスネットワーク装置との間で該第１通信方式の無線ベアラが設定されている移動局が、該移動局宛ての着信通知信号を受信した後に、該第１通信方式の無線アクセスネットワーク装置を介して、移動管理用ノードに対して、回線交換通信の開始要求信号を送信する工程と、
前記移動管理用ノードが、前記回線交換通信の開始要求信号を受信し、回線交換切替手順を優先すべきであると判断した場合、前記第１通信方式の無線アクセスネットワーク装置に対して、優先呼情報を含む設定変更要求信号を送信する工程と、
前記第１通信方式の無線アクセスネットワーク装置が、前記移動局に対して、優先呼情報を含む切替要求信号を送信する工程と、
前記移動局が、受信した前記切替要求信号に前記優先呼情報が含まれている場合には、前記第２通信方式の無線アクセスネットワーク装置に対して、優先呼情報を含む信号を送信する工程とを有することを特徴とする移動通信方法。
【請求項２】
回線交換通信に対応していない第１通信方式の無線アクセスネットワークにおいてＩｄｌｅ状態の移動局が、該移動局宛てのページング信号を受信した後に、該第１通信方式の無線アクセスネットワーク装置を介して、移動管理用ノードに対して、回線交換通信の開始要求信号を送信する工程と、
前記移動管理用ノードが、前記回線交換通信の開始要求信号を受信し、回線交換切替手順を優先すべきであると判断した場合、前記第１通信方式の無線アクセスネットワーク装置に対して、優先呼情報を含む設定要求信号を送信する工程と、
前記第１通信方式の無線アクセスネットワーク装置が、前記移動局に対して、優先呼情報を含む切替要求信号を送信する工程と、
前記移動局が、受信した前記切替要求信号に前記優先呼情報が含まれている場合には、前記第２通信方式の無線アクセスネットワーク装置に対して、優先呼情報を含む信号を送信する工程とを有することを特徴とする移動通信方法。
【請求項３】
移動局であって、
前記移動局宛ての着信通知信号或いはページング信号を受信した後に、回線交換通信に対応していない第１通信方式の無線アクセスネットワーク装置を介して、移動管理用ノードに対して、回線交換通信の開始要求信号を送信するように構成されており、
前記回線交換通信の開始要求信号を送信した後に、前記第１通信方式の無線アクセスネットワーク装置から受信した切替要求信号に優先呼情報が含まれている場合には、該第２通信方式の無線アクセスネットワーク装置に対して、優先呼情報を含む信号を送信するように構成されていることを特徴とする移動局。
【請求項４】
回線交換通信に対応していない第１通信方式の無線アクセスネットワーク装置であって、
前記第１通信方式の無線アクセスネットワーク装置との間で該第１通信方式の無線ベアラが設定されている移動局が、該移動局宛ての着信通知信号を受信した後に、回線交換通信の開始要求信号を送信した場合、該回線交換通信の開始要求信号を移動管理用ノードに対して転送するように構成されており、
前記回線交換通信の開始要求信号を受信し回線交換切替手順を優先すべきであると判断した該移動管理用ノードから優先呼情報を含む設定変更要求信号を受信した場合、該移動局に対して優先呼情報を含む切替要求信号を送信するように構成されていることを特徴とする無線アクセスネットワーク装置。
【請求項５】
回線交換通信に対応していない第１通信方式の無線アクセスネットワーク装置であって、
前記第１通信方式の無線アクセスネットワークにおいてＩｄｌｅ状態の移動局が、該移動局宛てのページング信号を受信した後に、回線交換通信の開始要求信号を送信した場合、該回線交換通信の開始要求信号を移動管理用ノードに対して転送するように構成されており、
前記回線交換通信の開始要求信号を受信し回線交換切替手順を優先すべきであると判断した該移動管理用ノードから優先呼情報を含む設定要求信号を受信した場合、該移動局に対して優先呼情報を含む切替要求信号を送信するように構成されていることを特徴とする無線アクセスネットワーク装置。
【手続補正２】
【補正対象書類名】図面
【補正対象項目名】図８
【補正方法】変更
【補正の内容】
【図８】
2011166749.tif 000017